(57)【特許請求の範囲】
【請求項１】
釣り竿の柄の部分を差し込む挿入部材と、挿通孔が穿設された前記挿入部材を差し込む屈曲した連結部材と、前記連結部材の挿通孔に挿入する腰ベルト４よりなる釣り竿保持具と、前記連結部材３に差し込む保持部材と、前記保持部材に穿設された挿通孔に挿入する足ベルトよりなる固定具からなることを特徴とする釣り竿保持具。
【請求項２】
前記挿入部材と前記連結部材が一体となり屈曲した挿入筒としたことを特徴とする請求請求項１に記載の釣り竿保持具。
【発明の詳細な説明】
【技術分野】
【０００１】
本発明は、魚釣りをする際に使用する、釣り竿保持具に関するものである。
【背景技術】
【０００２】
釣り竿を用いて魚釣りする場合、針などの仕掛けを糸先に取り付け、餌を針に付け、釣り上げた魚を針から外したりする作業は、釣り竿を地面や甲板に直に置いた状態で行うのが普通である。
【０００３】
特に足場が悪い磯などでは、釣り竿を直接地面に置くと、釣り竿が傷付くのは勿論、釣り糸は絡み、釣り竿を海、池など水中に落としてしまうこともある。さらに、上記作業は煩わしいだけでなく、釣り人が仕掛けに気をとられ、海に転落するような危険も伴う。
【０００４】
そこで、このような煩わしい作業を改善する発明として、特許文献１に記載の発明が開示されている。
【０００５】
特許文献１に記載の釣り竿保持ベルトは、釣り竿を保持し得る強度を有する支持板に腰ベルトを配置させ、支持板の下方側に、釣り竿後端部を保持する受け止め部を形成するとともに、支持板の上方側に、釣り竿の後端部より上方側を保持する竿掛部を形成したことを特徴とする。
【０００６】
これにより、腰に釣り竿を立て掛けた状態で保持し、釣り針に餌を付けたり、針に掛かった魚を外したり、従来のような釣り竿を用いる釣りの不便な作業を解消しようとするものである。
【特許文献１】特開２００４−１８７５３７号公報
【発明の開示】
【発明が解決しようとする課題】
【０００７】
しかしながら、特許文献１に記載の釣り竿保持ベルトは、釣り竿を保持する部分の構造が複雑である。従って、製造コストが高くなってしまう。また、繰り返し使用すると餌屑、海水などが付着するが、釣り竿を保持する部分の構造が複雑であるため掃除が困難ある。その上、フックで竿掛部を形成していることから、耐久性がない。
【０００８】
さらに、釣り竿後端部を保持する受け止め部と、釣り竿の後端部より上方側を保持する竿掛部の分離した２箇所で釣り竿を立て掛ける作業を行うため、釣り竿保持ベルトに釣り竿を掛ける作業が煩雑である。また、ベルト本体と１箇所で竿掛部が連結されているため、自由度はある一方袋部が定まらず、魚釣りの形態によっては、竿掛け作業が困難な場合もある。
【０００９】
加えて、腰ベルトの下方に、釣り竿後端部を保持する受け止め部が形成されているため、車椅子などに座りながら魚釣りをする場合、特許文献１に記載の釣り竿保持ベルトを使用することはできない。
【００１０】
そこで、本発明は、簡易な構造で、耐久性があり、竿掛け作用が容易で、あらゆる場面で使用することができる釣り竿保持具を提供することを目的とするものである。
【課題を解決するための手段】
【００１１】
本発明は、上記の課題を解決するために、釣り竿８の柄８ａの部分を差し込む挿入部材２と、挿通孔３ａが穿設された前記挿入部材２を差し込む屈曲した連結部材３と、前記連結部材３の挿通孔３ａに挿入する腰ベルト４よりなる釣り竿保持具１ａと、前記連結部材３に差し込む保持部材６と、前記保持部材６に穿設された挿通孔６ａに挿入する足ベルト７よりなる固定具５からなることを特徴とする釣り竿保持具１の構成とするとともに、前記挿入部材２と前記連結部材３が一体となり屈曲した挿入筒１０としたことを特徴とする釣り竿保持具１との構成とした。
【００１２】
第２に、釣り竿８の柄８ａの部分を差し込む挿入部材２と、挿通孔３ａが穿設された前記挿入部材２を差し込む屈曲した連結部材３と、前記連結部材３の挿通孔３ａに挿入する腰ベルト４よりなる釣り竿保持具１と、前記連結部材３に差し込む保持部材６と、前記保持部材６に穿設された挿通孔６ａに挿入する足ベルト７よりなる固定具５からなることを特徴とする釣り竿保持具１ａの構成とした。
【００１３】
第３に、前記挿入部材２と、前記連結部材３が一体となった屈曲した挿入筒１０であることを特徴とする釣り竿保持具１ｂ、釣り竿保持具１ｃの構成とした。
【発明の効果】
【００１４】
本発明は、以上の構成であるから以下の効果が得られる。第１に、簡易な構造で、耐久性がある。
【００１５】
第２に、筒状の挿入部材２、または挿入筒１０に釣り竿８を挿入するだけでよいので、釣り竿８を簡易に立て掛け、安定して保持できる。
【００１６】
第３に、実施例２では、身体に２箇所で固定することができるため、立て掛けた釣り竿８をより安定して保持することができる。さらに、腰ベルト４、足ベルト７の長さを変更するだけで、車椅子９など、あらゆる柱状・棒状の構造物に本発明である釣り竿保持具を取り付けることができ、より多くの人が快適に魚釣りを楽しむことができる。
【発明を実施するための最良の形態】
【００１７】
魚釣りをする際の煩雑な作業を解消するために、釣り竿８の柄８ａの部分を差し込む挿入部材２と、挿通孔３ａが穿設された前記挿入部材２を差し込む屈曲した連結部材３と、前記連結部材３の挿通孔３ａに挿入する腰ベルト４よりなる釣り竿保持具１と、前記連結部材３に差し込む保持部材６と、前記保持部材６に穿設された挿通孔６ａに挿入する足ベルト７よりなる固定具５からなることを特徴とする釣り竿保持具１ａの構成とすることで実現した。
【００１８】
以下、添付図面に基づいて、本発明である釣り竿保持具について、詳細に説明する。
【実施例１】
【００１９】
図１は、本発明である釣り竿保持具の第１実施例の斜視図である。釣り竿保持具１は、釣り竿８の柄８ａの部分を差し込む挿入部材２と、挿通孔３ａが穿設された前記挿入部材２を差し込む屈曲した連結部材３と、前記連結部材３の挿通孔３ａに挿入する腰ベルト４からなる。尚、符号４ｂはバックル、符号４ｃはバンド通し、符号４ｄは先端部である。
【００２０】
挿入部材２は、筒形状で釣り竿の柄を挿入できる径を有していればよい。挿入部材２の長さは、釣り竿の長さ、形態により適宜変更することができる。
【００２１】
連結部材３は、くの字状に屈曲したパイプ状で、挿入部材２を内部に差し込む。挿入部材２は、連結部材３のくの字状に屈曲している部分で引っ掛かり、他の部品を要することなく、簡易に連結保持される。
【００２２】
挿入部材２、連結部材３の素材は特に限定しないが、耐久性、軽さを考慮して適宜変更することができる。
【００２３】
本発明である釣り竿保持具１を身体に装着するには、腰ベルト４のバンド４ａを連結部材３に穿設された２つの挿通孔３ａに通し、腰に締めるだけでよい。腰ベルト４は洋服に使用している通常のベルトでよく、腰に締めることができるベルト状の形状であれば、本実施例に限定されことはない。
【実施例２】
【００２４】
図２は、本発明である釣り竿保持具の第２実施例の斜視図である。釣り竿保持具１ａは、釣り竿の柄の部分を差し込む挿入部材２と、挿通孔３ａが穿設された前記挿入部材２を差し込む屈曲した連結部材３と、前記連結部材３の挿通孔３ａに挿入する腰ベルト４よりなる釣り竿保持具１と、前記連結部材３に差し込む保持部材６と、前記保持部材６に穿設された挿通孔６ａに挿入する足ベルト７よりなる固定具５からなる。つまり、実施例１の釣り竿保持具１に、固定具５を連結した構成である。
【００２５】
保持部材６は、棒状で、連結部材３の挿入部材２が挿入されている開口部とは別の開口部側に差し込む。特に保持部材６は筒状である必要はないが、挿入部材２と同一形状とすることで、低コストで製造することができる。
【００２６】
足ベルト７は、腰ベルト４と同様に、通用使用しているベルトでよい。ただし、足に固定具５を装着するために使用するため、腰ベルト４より短くてよい。また、面ファスナーによって調節できるバンドでもよく、足に取り付けられる機能を有する紐、バンド状であれば、取り付ける場所により適宜変更することができる。
【００２７】
本発明である釣り竿保持具１ａを身体に装着するためには、予め腰に釣り竿保持具１を装着した状態で、保持部材６の挿通孔６ａにバンド７ａを通した固定具５の保持部材６を連結部材３の内部に差し込み、足ベルト７を足に締めればよい。尚、符号７ｂはバックル、符号７ｃはバンド通し、符号７ｄは先端部、符号７ｅは穴である。
【００２８】
図３は、本発明である釣り竿保持具の第２実施例の分解状態を示した斜視図である。連結部材３と挿入部材２及び保持部材６は、各々脱着可能である。
【００２９】
図４は、本発明である釣り竿保持具の第２実施例の側面断面図である。釣り竿保持具１ａでは、保持部材６を連結部材３の内部に挿入することから、保持部材６の外径は、連結部材３の内径よりやや小さくする必要がある。
【００３０】
バンド４ａは、連結部材３の屈曲部より下方に穿設された挿通孔３ａに挿入されるため、連結部材３の内部を貫通する。
【００３１】
図５は、本発明である釣り竿保持具の第１実施例を装着した状態を示した図である。釣り竿保持具１は、腰ベルト４によって腰に装着し、釣り竿８の柄８ａを挿入部材２に挿入して使用する。
【００３２】
これにより、釣り人は、釣り竿を釣り竿保持具１に立て掛け、安定的に保持することができるため、仕掛けを作るとき、餌を針に掛けるとき、釣れた魚を針から外すときなど、釣り竿８を一々地面に置く必要がなく、煩雑な作業が解消され、快適に魚釣りをすることができることとなる。
【００３３】
また、簡易な構成であるから、釣り場所を移動するにも邪魔にならず、釣り竿保持具１を使用しない場合と同様の釣行が可能である。さらに、座って魚釣りをする場合にも釣り竿保持具１は邪魔にならないから、一箇所で静かに座って魚釣りを楽しむ場合に、特に有効である。
【００３４】
また、釣り竿保持具１に柄８ａを挿入することで、長時間釣り竿８を持っていても疲れなくなる。さらに、大きな魚が掛かっても、柄８ａの部分を釣り竿保持具１に保持することで、より効率的に力が釣り竿８にかかり、リール８ｂを巻き、魚を取り込み作業も軽減される。従って、煩雑な作業がなく、疲れがないため効率よく魚釣りを行うことができこととなる。
【００３５】
図６は、本発明である釣り竿保持具の第２実施例を装着した状態を示した図である。釣り竿保持具１ａは、２箇所で身体に装着することができることから、魚釣りの形態、場所、状況により、より釣り竿８を安定的に保持したい場合に特に有効である。
【００３６】
なお、釣り竿保持具１ａを腰と足に固定しているが、魚釣りの途中で、座る場合など、固定具５を足、連結部材３から脱着することで、よりコンパクトな釣り竿保持具１として使用することができる。
【００３７】
図７は、本発明である釣り竿保持具の第２実施例に釣り竿を挿入した状態を示した側面断面図である。釣り竿８の柄８ａの末端が、連結部材３の屈曲部に引っ掛かる構造であるから、他の部品を用いることなく、簡易に釣り竿８を保持することができる。
【００３８】
図８は、本発明である釣り竿保持具の第２実施例を車椅子に装着した状態を示した図である。本発明である釣り竿保持具１は、身体に装着して使用するだけでなく、柱状の構造物に取り付けることができる。
【００３９】
通常、釣り竿保持具１、１ａは、身体に装着するため、腰ベルト４、足ベルト７が一定の長さがある。そこで、細い構造物に釣り竿保持具１、１ａを装着するために、面ファスナー等で調節できる短いバンド４ｅ、バンド７ｆに各々変更するとよい。
【００４０】
例えば、車椅子９の脚部９ａに装着することで、身体が不自由で立って魚釣りをすることができない人であっても、車椅子９に乗った状態で魚釣りすることができる。ここでは、車椅子９の脚部９ａに取り付ける例を紹介したが、舟、ボートであっても、柱状の構造物に取り付けて使用することができるのは勿論である。
【００４１】
なお、本発明である釣り竿保持具１であれば、腰に取り付けて魚釣りに使用できることから、座った状態でも構造物に取り付けことなく、釣り竿保持具１を使用することができる。
【実施例３】
【００４２】
図９は、本発明である釣り竿保持具の第３実施例の斜視図である。釣り竿保持具１ｂ、釣り竿保持具１ｃは、上述した釣り竿保持具１、釣り竿保持具１ｂの挿入部材２、連結部材３を一体とした挿入筒１０に置換したものである。
【００４３】
つまり、釣り竿保持具１ｂは、釣り竿８の柄８ａの部分を差し込む挿入筒１０と、前記挿入筒１０に穿設された挿通孔３ａに挿入する腰ベルト４からなる。
【００４４】
また、釣り竿保持具１ｃは、釣り竿８の柄８ａの部分を差し込む挿入筒１０と、前記挿入筒１０に穿設された挿通孔３ａに挿入する腰ベルト４よりなる釣り竿保持具１ｂと、前記挿入筒１０に差し込む保持部材６と、前記保持部材６に穿設された挿通孔６ａに挿入する足ベルト７よりなる固定具５からなる。なお、挿入筒１０以外の構成については、すでに上述した構成と同一である。
【００４５】
挿入筒１０は、屈曲部から上方に釣り竿８の柄８ａを挿入し、屈曲部から下方に固定具５を挿入する。共に屈曲した部分で引っ掛かり、簡便に柄８ａを固定し、保持部材６を連結することができる。
【００４６】
挿入部材２と、連結部材３を一体とすることで、より構成が簡易になり、挿入部材２をなくすこと、落とすことがなく便宜である。
【００４７】
図１０は、本発明である釣り竿保持具の第３実施例の分解状態を示した斜視図である。釣り竿保持具１ｃは、挿入筒１０と保持部材６が脱着可能であることから、釣り竿保持具１ｂと固定具５に分離することができる。
【００４８】
必要に応じて、釣り竿保持具１ｃから固定具５を取り外し、簡易な釣り竿保持具１ｂとして使用する。上述したように、座って魚釣りをする場合、すなわち固定具５が邪魔になるような場合に特に有効である。釣り竿保持具１ｂを車椅子９に装着することも可能であるが、釣り竿保持具１ｂであれば、腰に装着したままでも車椅子９に腰掛けて魚釣りをすることができる。
【００４９】
一方、釣り竿保持具１ｂに固定具５を装着する場合は、上述のように立ったまま魚釣りをする場合であって、特により釣り竿８を安定性よく保持する必要がある場合有効である。
【００５０】
図１１は、本発明である釣り竿保持具の第３実施例の側面断面図である。釣り竿保持具１ｃでは、保持部材６を挿入筒１０に挿入することから、保持部材６の外径は、挿入筒１０の内径よりやや小さくする必要がある。
【００５１】
バンド４ａは、挿入筒１０の屈曲部より下方に穿設された挿通孔１０ａに挿入されるため、挿入筒１０の内部を貫通する。
【００５２】
釣り竿保持具１０ｂを貫通させた腰ベルト４を腰に締め、必要に応じて固定具５を構成する保持部材６を挿入筒１０の釣り竿８が挿入されていない方の開口部に挿入し、足ベルト７を足に装着することで、釣り竿保持具１ｃとして使用することができる。
【００５３】
このとき、釣り竿８の柄８ａの末端が、挿入筒１０の屈曲部に引っ掛かり、保持部材６の先端が、挿入筒１０の内部を貫通している腰ベルト４のバンド４ａに引っ掛かり、釣り竿８を簡易に立て掛け、安定して保持することができる。
【図面の簡単な説明】
【００５４】
【図１】本発明である釣り竿保持具の第１実施例の斜視図である。
【図２】本発明である釣り竿保持具の第２実施例の斜視図である。
【図３】本発明である釣り竿保持具の第２実施例の分解状態を示した斜視図である。
【図４】本発明である釣り竿保持具の第２実施例の側面断面図である。
【図５】本発明である釣り竿保持具の第１実施例を装着した状態を示した図である。
【図６】本発明である釣り竿保持具の第２実施例を装着した状態を示した図である。
【図７】本発明である釣り竿保持具の第２実施例に釣り竿を挿入した状態を示した側面断面図である。
【図８】本発明である釣り竿保持具の第２実施例を車椅子に装着した状態を示した図である。
【図９】本発明である釣り竿保持具の第３実施例の斜視図である。
【図１０】本発明である釣り竿保持具の第３実施例の分解状態を示した斜視図である。
【図１１】本発明である釣り竿保持具の第３実施例の側面断面図である。
【符号の説明】
【００５５】
１      釣り竿保持具
１ａ    釣り竿保持具
１ｂ    釣り竿保持具
１ｃ    釣り竿保持具
２      挿入部材
３      連結部材
３ａ    挿通孔
４      腰ベルト
４ａ    バンド
４ｂ    バックル
４ｃ    バンド通し
４ｄ    先端部
４ｅ    バンド
５      固定具
６      保持部材
７      足ベルト
７ａ    バンド
７ｂ    バックル
７ｃ    バンド通し
７ｄ    先端部
７ｅ    穴
７ｆ    バンド
８      釣り竿
８ａ    柄
８ｂ    リール
９      車椅子
９ａ    脚部
１０    挿入筒
１０ａ  挿通孔
【図１】
0004552145.tif 000002
【図２】
0004552145.tif 000003
【図３】
0004552145.tif 000004
【図４】
0004552145.tif 000005
【図５】
0004552145.tif 000006
【図６】
0004552145.tif 000007
【図７】
0004552145.tif 000008
【図８】
0004552145.tif 000009
【図９】
0004552145.tif 000010
【図１０】
0004552145.tif 000011
【図１１】
0004552145.tif 000012